(57)【要約】【課題】電子機器、機械設備その他の装置における冷却ファン等に用いられる、軸流ファンのファンフレーム構造であって、吐出側に障害物や壁等が存在するような狭隘な場所に設置しても、軸流ファンの風量を確保し、騒音を増大させることの少ない、軸流ファンのファンフレーム構造を提供する。【解決手段】ファンフレーム１４の内周壁及び両側壁１０ａ、１０ｂは、ファンロータ６の回転軸線方向に沿ってみたときに複数の羽根１２の吸込側に近位する部分の一部を覆い、吐出側に近位する残りの部分の一部を複数のステイ２０のそれぞれが覆い、かつ羽根１２の回転軸線方向の弦長をＹａとし、羽根１２の吸込口１４ｃに最も近い先端から前記ファンフレーム１４の吐出口１４ｄ側の吐出側側壁１０ｂの端面までの回転軸線方向の長さをＸとしたときに、Ｙａ＞Ｘ（Ｘ≠０）である。【選択図】図４
2020172913.tif 000002
【特許請求の範囲】
【請求項１】
軸流ファンであって、
軸流ファンのファンフレームと、
前記ファンフレームの内部において送風室の外周壁を構成する断面円形の内周壁と、
前記ファンフレームの空気の吸込側に設けられた吸込口と、
前記ファンフレームの空気の吐出側に設けられた吐出口と、
前記フレームの内周壁の内側に配置され、複数枚の羽根が外周部に設けられる回転可能なファンロータと、
前記ファンロータに連結され、かつ前記ファンフレームに回転軸を有する回転可能に支持される回転子と前記ファンフレームに連結される固定子とを有する内蔵モータと、
前記ファンフレームの一部であって、前記回転子を回転可能に支持するとともに、前記固定子を支持する固定子支持フレームと、を備え、
前記固定子支持フレームは、前記ファンフレームから前記内蔵モータの前記回転軸の回転軸線方向に延設される複数のステイによって支持され、
前記複数のステイは、前記ファンフレームの前記吐出口の側に設けられているものであって、
前記内周壁は、前記ファンロータの前記回転軸線方向に沿ってみたときに少なくとも前記羽根の吸込側に近位する部分の一部を覆い、吐出側に近位する残りの部分の一部を前記複数のステイのそれぞれが覆い、かつ
前記羽根の前記回転軸線方向の弦長をＹａとし、前記羽根の前記吸込口に最も近い先端から前記ファンフレームの前記吐出口の端面までの前記回転軸線方向の長さをＸとしたときに、Ｙａ＞Ｘ（Ｘ≠０）であることを特徴とする
前記軸流ファンのファンフレーム構造。
【請求項２】
前記ファンロータの反対側の前記固定子支持フレームの端面と前記複数のステイは、前記回転軸線に対して直交する平面を含むものである、請求項１記載の軸流ファンのファンフレーム構造。
【請求項３】
前記羽根の前記回転軸線方向の弦長をＹａとし、前記羽根の前記吸込口に最も近い先端から前記ファンフレームの前記吐出口の端面までの前記回転軸線方向の長さをＸとしたときに、０．７＜Ｘ／Ｙａ＜０．９である、請求項１又は２記載の軸流ファンのファンフレーム構造。
【請求項４】
前記羽根の前記回転軸線方向の弦長をＹａとし、前記羽根の前記吸込口に最も近い先端から前記ファンフレームの前記吐出口の端面までの前記回転軸線方向の長さをＸとしたときに、Ｘ／Ｙａが０．８である、請求項３記載の軸流ファンのファンフレーム構造。
【請求項５】
前記複数のステイは、折曲部分を有する、請求項１〜４のいずれか１項に記載の軸流ファンのファンフレーム構造。
【請求項６】
前記複数のステイは、正面視でらせん状又は曲線状をなす、請求項１〜４のいずれか１項に記載の軸流ファンのファンフレーム構造。
【請求項７】
前記複数のステイは、少なくともその一つが断面略直方形状からなる、請求項１〜６のいずれか１項に記載の軸流ファンのファンフレーム構造。
【請求項８】
前記複数のステイは、少なくともその一つが断面略円形状からなる、請求項１〜６のいずれか１項に記載の軸流ファンのファンフレーム構造。
【請求項９】
前記複数のステイは、少なくともその一つが断面略楕円形状からなる、請求項１〜６のいずれか１項に記載の軸流ファンのファンフレーム構造。
【請求項１０】
前記複数のステイは、少なくともその一つが断面コ字型形状からなる、請求項１〜６のいずれか１項に記載の軸流ファンのファンフレーム構造。
【請求項１１】
前記複数のステイのうちの断面コ字型形状からなる前記ステイは、前記ステイ内に電力線及び制御信号線のいずれか一つ又は両者を備える、請求項１０に記載の軸流ファンのファンフレーム構造。
【請求項１２】
前記複数のステイは、正面視で前記回転軸線廻りに等間隔で配置される、請求項１〜１１のいずれか１項に記載の軸流ファンのファンフレーム構造。
【請求項１３】
前記複数のステイは、正面視で４つの前記ステイからなる、請求項１〜１２のいずれか１項に記載の軸流ファンのファンフレーム構造。
【請求項１４】
前記ファンフレームは、相互に直交する四辺からなる略四角形状でなる、請求項１〜１３のいずれか１項に記載の軸流ファンのファンフレーム構造。
【請求項１５】
前記ファンフレームは、前記回転軸線から前記略四角形状の四隅の方向に延びる線上にその一端が位置する前記複数のステイを備える、請求項１４に記載の軸流ファンのファンフレーム構造。
【発明の詳細な説明】
【技術分野】
【０００１】
本発明は、電子機器、無停電電源装置、電力・ネットワーク装置、機械設備その他の装置において、装置の内部の温度の高い空気を外部に排風したり、装置の内部に外気を吸込んで内部の温度を低下させたりすることによって装置の内部を冷却する冷却ファンその他のファン等に用いられる、軸流ファンのファンフレーム構造であって、特に、吐出側に障害物や壁等が存在するような狭隘な場所に設置しても、軸流ファンの風量を確保し、騒音を増大させることの少ない、軸流ファンのファンフレーム構造に関するものである。
【背景技術】
【０００２】
従来の前記装置等に用いられる冷却ファンにおいては、軸流ファンが用いられてきているが、軸流ファンは、羽根車の回転軸方向に空気を送り出す複数の羽根を備えた羽根車によりその回転軸線方向に沿って、吸込口から吸込んだ空気を吐出するものである。
【０００３】
したがって、軸流ファンの吐出口の側の前記回転軸線の延長線上に一定の距離の空間を形成しておかないと、吐出された空気の逃げ場が減少して軸流ファンの背圧が高まり、軸流ファンの風量が減少してファン特性が変化したり、羽根車を回転駆動するファンモータの負荷が増大して必要以上に電力を消費したりするほかに、軸流ファンの騒音が増大したり、軸流ファンから吐出された空気が狭隘な場を曲折して流れたり、狭い箇所を無理に通り抜けることにより、風切り音等の騒音が生じたりする。
【０００４】
また、冷却ファンとして用いられる軸流ファンは、取り付けられる装置の正面を避けて、背面や側面に排風口とともに設けられることが多く、装置の背面や側面の建造物の壁や他の機器との間に無駄なスペースを形成せざるを得ず、スペースファクターが低下したり、装置の配置の自由度を妨げられたりするおそれがあった。
【０００５】
このような問題を回避するために、一案として、羽根車の回転軸に対して半径方向に空気を吐出するブロアや遠心ファンを採用することも考えられるが、軸流ファンと遠心ファン等とでは、風量−静圧特性が大きく異なり、同風量であっても騒音が大きいという課題がある。また、遠心ファンの場合には、回転部が露出していて安全性の面からの対策も必要であり、小型のものが少ないほか、空気の吐出方向も異なるなど、設置の自由度を含めて必ずしも設備の要求に十分に対応できるものではない。
【０００６】
このような理由から、ブロアファン等よりも騒音が小さく、羽根等の回転部がファンフレームに覆われ、ファンサイズの種類が豊富な軸流ファンが、狭隘な箇所に面していても、冷却ファンとして用いられることが多く、その一例が、下記特許文献１に記載されている。
【０００７】
この特許文献１に記載された冷却ファンは、電子機器の収納ケースの内部に収納されて使用される電子部品冷却装置に関するもので、送風量が多く、厚みの薄い電子機器の収納ケースに収納しても確実に所定の送風量を確保することができるようにするため、モータの回転軸線方向の一方の方向から空気を吸引し、他方の方向から空気を吐出する複数枚の羽根を有する回転子をキャビティ内に収納するケースを備えている。ケースはキャビティを画定するように羽根を囲む壁部と、羽根よりも回転軸線方向の他方の方向側に位置して羽根と対向し、他方の方向に向かって空気が流れるのを阻止する壁部と、その壁部に沿って空気を送り出すように構成されている。
【先行技術文献】
【特許文献】
【０００８】
【特許文献１】特許第３７８４３３３号公報
【発明の概要】
【発明が解決しようとする課題】
【０００９】
このような特許文献１に記載された構成によれば、ある程度の風量を確保することができる。
【００１０】
しかし、特許文献１の、例えばその図９に見られるような軸流ファンでは、ケーシング１０１が、ファンフレーム１２５及びステイ１０８ａ〜１０８ｃと一体に成形された第１のケーシング半部１１１とヒートシンク１１２から構成された第２のケーシング半部とが組み合わされて構成されており、軸流ファンを駆動する二相ＤＣブラシレス直流モータがステイ１０８ａ〜１０８ｃによって支持されている。
【００１１】
そして、ステイ１０８ａ〜１０８ｃは空気の吸込側に設けられているので、吸込まれる空気の流れがステイ１０８ａ〜１０８ｃに衝突することによって乱れることになるので、軸流ファンの風量が低下したり、騒音が増加したりするおそれが、依然として残っていた。
【００１２】
特に、特許文献１の軸流ファンは、厚みの薄い電子機器の収納ケースに収められて使用されるものであることから、吸込風量が大きくなく、ステイ１０８ａ〜１０８ｃによる空気の流れの乱れも比較的大きくないので、吸込側に設けることによっても実施は可能であるが、さらに改善を試みるべく、ステイを別の箇所に設けようとしても、例えば、特許文献１の図１０〜１２などにみられるように、厚みの薄い電子機器の収納ケース内に多数の放熱フィン１１２を配置してそれらの放熱フィンに空気を接触させるため、ステイの支持機能を損なうことなくステイの配置を変更する自由度が小さく、前記した風量の低下や騒音の増加を抑制することには限界が生じていた。また、軸流ファンとしての汎用性が乏しいものであった。
【００１３】
また、特許文献１のようなステイを吐出側に配置することも考えられるが、その場合には、図８（ａ）にみられるように、軸流ファンの吐出側に近接して機器のケーシング壁や建造物の壁などのような障害壁Ｓが存在すると、吐出側の流れが障害壁Ｓによって妨げられ、図８（ｂ）に示すように、風量−静圧特性が変化して風量が低下し、騒音も増加するという課題があった。
【００１４】
本発明は、かかる風量の低下や騒音の増加を改善した軸流ファンのファンフレーム構造を提供することを目的とするものであって、吐出側に障害物や壁等が存在するような狭隘な場所に設置しても、軸流ファンの風量を確保し、騒音を増大させることの少ない、軸流ファンのファンフレーム構造を提供することにある。
【課題を解決するための手段】
【００１５】
軸流ファンであって、
軸流ファンのファンフレームと、
前記ファンフレームの内部において送風室の外周壁を構成する断面円形の内周壁と、
前記ファンフレームの空気の吸込側に設けられた吸込口と、
前記ファンフレームの空気の吐出側に設けられた吐出口と、
前記フレームの内周壁の内側に配置され、複数枚の羽根が外周部に設けられる回転可能なファンロータと、
前記ファンロータに連結され、かつ前記ファンフレームに回転軸を有する回転可能に支持される回転子と前記ファンフレームに連結される固定子とを有する内蔵モータと、
前記ファンフレームの一部であって、前記回転子を回転可能に支持するとともに、前記固定子を支持する固定子支持フレームと、を備え、
前記固定子支持フレームは、前記ファンフレームから前記内蔵モータの前記回転軸の回転軸線方向に延設される複数のステイによって支持され、
前記複数のステイは、前記ファンフレームの前記吐出口の側に設けられているものであって、
前記内周壁は、前記ファンロータの前記回転軸線方向に沿ってみたときに少なくとも前記羽根の吸込側に近位する部分の一部を覆い、吐出側に近位する残りの部分の一部を前記複数のステイのそれぞれが覆い、かつ
前記羽根の前記回転軸線方向の弦長をＹａとし、前記羽根の前記吸込口に最も近い先端から前記ファンフレームの前記吐出口の端面までの前記回転軸線方向の長さをＸとしたときに、Ｙａ＞Ｘ（Ｘ≠０）とした構成を有する。
【００１６】
このような構成を採用することにより、吸込側でのステイの存在によって生じる空気の流れの乱れに起因して、風量が低下したり、騒音が増加したりすることを抑制することができる。この場合、吐出側のステイによって吐出される空気の流れに乱れが生じることはあり得るが、吐出側の空気の持つエネルギー（動圧、静圧、温度等）は、吸込側よりも大きいので、同じステイであっても、吸込側に設ける場合よりも、空気の流れに影響を与える程度は小さくなる。さらに、吐出される空気が回転する羽根から直接又は障害物や障害壁に当たって間接的に半径方向外向きにも流れることができるので、吐出される空気の流れに対する抵抗が減ってより円滑な流れとなり、前記した作用を増強することができる。なお、以下の説明において、障害壁と称する場合は、流れに影響を与える障害物も含むものとする。
【００１７】
別の態様として、前記ファンロータの反対側の前記固定子支持フレームの端面と前記複数のステイは、前記回転軸線に対して直交する平面を含むものとすることができる。
【００１８】
この態様によれば、前記平面が他の機器や壁などに面で当接することができ、片当りによるファンフレームの損傷を防ぐことができ、また、前記平面を位置決めの基準面とすることができる。
【００１９】
さらに別の態様として、前記羽根の前記回転軸線方向の弦長をＹａとし、前記羽根の前記吸込口に最も近い先端から前記ファンフレームの前記吐出口の端面までの前記回転軸線方向の長さをＸとしたときに、０．７＜Ｘ／Ｙａ＜０．９とすることができる。なお、Ｘ／Ｙａの値の上下限値は、有効数字として解することが前提である。
【００２０】
この態様によれば、静圧−風量特性のバランスが良い。
【００２１】
さらに別の態様として、前記羽根の前記回転軸線方向の弦長をＹａとし、前記羽根の前記吸込口に最も近い先端から前記ファンフレームの前記吐出口の端面までの前記回転軸線方向の長さをＸとしたときに、Ｘ／Ｙａを０．８とすることができる。なお、Ｘ／Ｙａの値は、有効数字として解することが前提である。したがって、０．７５や０．８４も含み得る。
【００２２】
この態様によれば、静圧−風量特性のバランスが最も良い。
【００２３】
その他、本発明の構成は、特許請求の範囲に記載したとおり、各種の態様を採り得るものである。
【発明の効果】
【００２４】
本発明によれば、吐出側に障害物や壁等が存在するような狭隘な場所に設置しても、軸流ファンの風量を確保し、騒音を増大させることの少ない、軸流ファンのファンフレーム構造を得ることができる。なお、軸流ファンは、排気ファンであっても吸込みファンであっても、また冷却ファンであっても他の目的のためのファンであっても本発明の精神に反しない限り、いずれも本発明の範囲に含まれるものである。
【図面の簡単な説明】
【００２５】
【図１】本発明の実施形態を示す軸流ファンの全体を吸込側からみた斜視図（ａ）及び吐出側からみた斜視図（ｂ）である。
【図２】図１の軸流ファンにおいて、回転軸線をとおる平行面のうちステイと交差する面で切ったモータ部の構造の一例を示す半部断面図である。
【図３】ステイの形状の各種態様を示す斜視図（ａ）〜（ｄ）である。
【図４】軸流ファンのファンフレーム、ステイ及び羽根の位置関係を示す説明図である。
【図５】本発明の実施形態において、吐出側に障害壁Ｓを設置した場合の静圧−風量特性を示すグラフである。
【図６】本発明の実施形態において、回転軸線方向にみて、羽根の最も吸込側に近い部分で先端を基点として、羽根先端からフレームの吐出側端面までの距離をＸ、羽根の軸方向でみた翼弦長をＹａとした時の、Ｘ／Ｙａの変化に伴う軸流ファンの静圧−風量特性の変化を示すグラフである。
【図７】本発明の実施形態において、吐出側に障害壁Ｓを設けた場合の負荷騒音特性の性能比較を示すグラフである。
【図８】障害壁Ｓを設けた場合の従来技術の軸流ファンのファンフレーム、羽根の位置関係と空気の流れを示す概念図（ａ）と、その時の静圧−風量特性の変化を示す説明グラフ（ｂ）である。
【発明を実施するための形態】
【００２６】
以下図面を参照して本発明の実施の形態を詳細に説明する。図１は、本発明に係る軸流ファンの全体を吸込側からみた斜視図（ａ）及び吐出側からみた斜視図（ｂ）である。
【００２７】
図１において矢印Ａは軸流ファンを駆動したときの空気の流れる方向を示している。図１において、１４は軸流ファンのファンフレームであり、６はファンフレームの内側に収容され、かつ内蔵モータの外周側に配置された回転子に直結するファンロータであり、１２はファンロータ外周側に配置された空気を送り出す羽根であり、１４ａは軸流ファンのファンフレーム１４の一部を構成し、内蔵モータの内周側すなわち軸心側に配置された固定子及びファンロータや内蔵モータ全体を支持する固定子支持フレームであり、２０は固定子支持フレーム１４ａと軸流ファンのファンフレーム１４との間を連結して、固定子支持フレーム１４ａを軸流ファンのファンフレーム１４に支持・固定するステイである。
【００２８】
図２に、このような軸流ファンを駆動するモータ部の構造の一例を示す。図２において、固定子支持フレーム１４ａのステイ２０は断面略直方形状とされているが、そのうちの一つは、内蔵モータや回路基板４等の電装品に接続される電力線、制御信号線等となるリード線又は端子２１を通す凹溝２０ａが形成された断面コ字型形状のステイ２０とされている。
【００２９】
符号１で示した部材は固定子組立体であって、この固定子組立体１は複数枚の珪素鋼板が積層されて構成された固定子鉄心２を備えている。固定子鉄心２は、周方向に並ぶ複数の突極部２ａを有している。そしてこの固定子鉄心２の各突極部２ａには、固定子巻線３を巻装する空間を構成するスロットを備えるインシュレータ２３が設けられており、かかるスロットを介して固定子巻線３が巻装されて固定子が構成されている。これら複数の突極部２ａは、固定子巻線３が励磁されて固定子磁極として機能する。符号４で示した部材は、固定子に固定された回路基板であって、この回路基板４には固定子組立体１の複数の固定子磁極の一部を構成する固定子巻線３に流す電流を制御するための制御回路を構成する電子部品が実装されている。回路基板４上の制御回路と固定子巻線３とは、回路基板４のスルーホール４ａに通されて回路基板４上の電極に半田付けされた端子ピン５に固定子巻線３のリード線が巻き付けられて、電気的に接続されている。
【００３０】
符号６で示した部材は、ファンロータである。ファンロータ６は内蔵モータの回転子８と一体になって回転できるように組立体を構成している。ファンロータ６は、導磁性材料からなるカップ部材７と、このカップ部材の外周部に嵌合された羽根取付用ハブ９とから構成されている。カップ部材７は、内周部に永久磁石からなる回転子８として複数の磁極が周方向に並ぶように固定された筒状部７ａと、この筒状部７ａの一端を塞ぐ底壁部７ｂとから構成されている。底壁部７ｂの中心には、ブッシュ１１が嵌合される貫通孔７ｃが形成されている。羽根取付用ハブ９は、外周部に複数枚の羽根１２が固定された筒状部９ａとこの筒状部９ａの一端を塞ぐ底壁部９ｂとから構成されている。底壁部９ｂの中央部には、回転軸１３に回転子側ケース７を固定するためのブッシュ１１が固定されている。
【００３１】
なお、羽根１２は、その断面形状、迎え角、ねじれ角等の諸元は、軸流ファンの仕様により好適なものを任意に使用できることはもちろんのことである。
【００３２】
符号１４ａは固定子支持フレームであって、内挿されたファンロータ６の回転軸１３を回転自在に支持する２つの軸受１５、１６を有する軸受支持用筒部１７、制御用等の回路基板４、回路基板４が収納され基板収納部１９などを備えており、ファンロータ６の反対側の最遠位の側は平板状に形成されている。この固定子支持フレーム１４ａは、複数本のステイ２０の一端に連結され、かかるステイ２０の他端を軸流ファンのファンフレーム１４本体に連結することにより支持されている。図２には図示されていないが、前記図１にみられるとおり、これら複数本のステイ２０は、回転軸線廻りに等間隔で配置されている。
【００３３】
内蔵モータとしては、通常、ブラシレス直流モータが使用されることが多いが、これに限定されるものではない。内蔵モータの回転子８は、カップ部材７を介して連結された回転軸１３が固定子組立体１に取り付けられた中空軸構造からなる軸受支持用筒部１７の内部に挿入されることによって、軸受１５、１６を介して回転可能に支持されている。この内蔵モータの回転子８及び固定子組立体１並びに回転軸１３の支持のための構造は、本発明の要部をなすものではなく、周知の軸流ファン用の内蔵モータであればどのようなものであってもよい。
【００３４】
なお、固定子組立体１、基板収納部１９内の制御用等の回路基板４、リード線収納溝２０ａ等は、防水、防湿等の目的のため、周知のとおり、絶縁材料からなるモールド部２２を備えるものであってもよい。
【００３５】
図１に戻って、軸流ファンのファンフレーム１４は、正面及び背面からみた時に、外周の四隅が隅取りされた略四角（正方）形状をなしており、かつ、全体として一定の厚みを有している。軸流ファンのファンフレーム１４の内部には、円形の内周壁が設けられ、内周壁のさらに内周側に羽根１２及びファンロータ６が収容されるように配置されている。軸流ファンのファンフレーム１４は、どのような構造を採用してもよく、鋳造品や鍛造品からなるものでも、板金からなるものであっても良い。図示された例では、吸込側及び吐出側にそれぞれ円形の吸込口１４ｃと吐出口１４ｄを有する吸込側側壁１０ａ、吐出側側壁１０ｂを配置し、それら両側壁１０ａ、１０ｂの間に、円形の断面の内周壁を構成するようにした断面円形の内周壁部材１１を介在させている。さらに、両側壁１０ａ、１０ｂの四隅近傍には、取付用のボルト貫通穴２４が設けられ、両側壁１０ａ、１０ｂのボルト貫通穴２４の間には、ボルト貫通穴を有するスペーサ２５をさらに介在させている。軸流ファンのファンフレーム１４は、このボルト貫通穴２４、スペーサ２５にボルトを通してナット締めなどにより組み付けられる。軸流ファンが設置される機器等の固定ボルトと兼用することも可能である。このような構造を採用することにより、軸流ファンのファンフレーム１４には余分な肉部が形成されないので、軸流ファンのファンフレーム１４の軽量化を図ることができる。
【００３６】
図１（ａ）に示すように、軸流ファンのファンフレーム１４の吐出側側壁１０ｂの四隅の吐出口１４ｄの外周側に位置する部分には、前記したボルト貫通穴２４に加えて、それよりも内周側に固定子支持フレーム１４ａを支持する４つのステイ２０のそれぞれの一端が取り付けられている。固定子支持フレーム１４ａは、正面視略円形状のものとされており、その円周側に前記４つのステイ２０のそれぞれの一端が連結されている。４つのステイ２０は、固定子支持板１４の円周上で内蔵モータの回転軸線廻りに等間隔（ここでは９０度間隔）となるように配置されている。各ステイ２０は、回転軸線からそれぞれ略四角形状のファンフレーム１４の四隅の方向に延びる線上に配置されている。なお、ステイ２０の形状は様々な形状を採り得るところ、外周側の一端をファンフレーム１４の四隅に連結することは好ましいが、それに限られるものではない。また、内周側の固定子支持フレーム１４ａに連結する箇所は、必ずしも回転軸線からそれぞれ略四角形状の四隅の方向に延びる線上となる位置とする必要はなく、後述する回転軸線方向の配置条件を満たしている限り、任意の箇所に連結し得る。
【００３７】
ステイ２０の形状は、断面コ字型形状と断面略直方形状のみに限られるものではなく、すべてのステイ２０が凹溝を有する断面コ字型形状のものや断面直方形状のものであってもよく、その他、断面円・楕円形状のものなどのほか、それらを組み合わせた形状など、任意の断面形状を採用することができる。また、ステイ２０は、固定子支持体１４ａを介して軸流ファンのモータ部などの全体を支持するものであるが、一方で吐出される空気の流れに抵抗や乱れを生じさせるものであるので、設計上の要求を満たす強度、剛性その他の性能が維持される範囲で、できるだけ流路に占める断面積又は容積を小とする方が良い。
【００３８】
また、図１に示すステイは、前記軸流ファンのファンフレーム１４の吐出側側壁１０ｂから一度略回転軸線方向に延設され、曲折して半径方向内方に延設されて固定子支持フレーム１４に連結されているが、回転軸線方向をとおる断面でみて連続した曲線形状をなす構造であってもよいし、正面視でファンロータ６の回転方向又はその逆方向にらせん又は曲線状となる構造であってもよい。要は、吐出側側壁１０ｂの側面と固定子支持フレーム１４ａのファンロータと反対側の最も離れた側面が、回転軸線方向で所定の距離Ｚを隔てて配置され、両者の間に空気が通過する空隙がステイ２０以外の部分に形成されていればよく、ステイ２０それ自体の形状は任意である。
【００３９】
そのようなステイ２０の形状の態様の例を図３（ａ）〜（ｄ）に示す。図３（ａ）は、これまで説明した態様において、ステイ２０をすべて断面コ字型形状としているが、ファンフレーム１４の吐出側側壁１０ｂに接続される近傍の断面は直方形状とされている例である。図３（ｂ）は、ステイ２０の外形が曲線形状とされた例である。図３（ｃ）は、吐出側側壁１０ｂを用いることなく、軸流ファンのファンフレーム１４をボルト貫通穴２４のみにより固定するために取付タブ１８を設けた例である。取付タブ１８は、ファンフレーム１４の四隅部分に相当する部分に設けられ、ボルト貫通穴２４を有する所定の厚さを有するものである。この場合、スペーサ２５は、ボルト貫通穴２４を有しないものとし、ボルトとの干渉が生じないように高さの低いものとされている。また、ステイ２０も、ファンフレームの１４の四隅と回転軸線とを結ぶ直線上を避けた位置に配置されている。図３（ｄ）は、ステイ２０が正面視でらせん形状又は円弧形状に形成された例である。その他の構造は図３（ｃ）に記載されたものと同じである。
【００４０】
図４に示すとおり、軸流ファンのファンフレーム１４の内周壁部材１１と吐出側側壁１０ｂは、回転軸線方向に沿ってみたときに、両者で羽根の外周の全部を覆うことのない厚さとされており、羽根の吸込口１４ｃ側に近位する部分の一部を覆い、内周壁部材１１及び吐出側側壁１０ｂの厚さにより覆われていない残部は露出している。複数のステイ２０は、羽根１２の内周壁部材１１及び吐出側側壁１０ｂの厚さにより覆われていない吐出口１４ｄ側に近位する残りの部分の一部を覆うように、前記軸流ファンのファンフレーム１４の吐出口１４ｄ側の吐出側側壁１０ｂから一度略回転軸線方向に延設され、次いで曲折して半径方向内方に延設されて固定子支持フレーム１４ａに連結されている。このとき、吐出口１４ｄ側の吐出側側壁１０ｂの側面と固定子支持フレーム１４ａのファンロータと反対側の最も離れた側面とは、図４にみられるように回転軸線方向で所定の距離Ｚを隔てて配置されることとなり、両者の間で各ステイ２０間に広い空隙が生じ、矢印で示されるように、吐出口から吐出される空気が円滑に外部に排出されることとなる。そのため、軸流ファンのファンフレーム１４の吐出側側壁１０ｂと障害壁Ｓとの間の距離Ｌが変化しても、軸流ファンの静圧―風量特性や騒音特性は、変化を受け難くなる。
【００４１】
この軸流ファンのファンフレーム１４とステイ２０と羽根１２の配置の関係をさらに詳細に説明する。回転軸線方向にみて、羽根１２の最も吸込口１４ｃの側に近い部分である羽根１２先端を基点として、羽根１２の先端からファンフレーム１４の吐出口１４ｄに対応する端面までの距離をＸ、羽根１２の軸方向に沿ってみた翼弦長をＹａとしたとき、両者の長さを変化させる、すなわち吐出口１４ｄ側の吐出側側壁１０ｂの側面と固定子支持フレーム１４ａのファンロータと反対側の最も離れた側面との間の回転軸線方向の距離Ｚを変化させると、風量−静圧性能や、騒音特性も変化する。羽根１２の先端から軸流ファンのファンフレーム１４の吐出口１４ｄに対応する端面までの距離であるＸは、固定子支持フレーム１４ａの吐出口１４ｄに対応する端面を超えず、かつ零ではない値を採り得るが、羽根１２の軸方向に沿ってみた翼弦長Ｙａに比して、Ｘが大き過ぎると、吐出される空気の通過する隙間が狭くなり、風量−静圧性能が低下し、騒音が増大する。逆に、Ｘが小さすぎても、遠心力による空気の半径方向への漏れや吐出側に吐出された空気が静圧や流れの乱れの状況によって逆流や乱流が生じたりするので、軸流ファンの風量−静圧性能が低下し、騒音も増大する。したがって、Ｙａ＞Ｘ（Ｘ≠０）が成り立つ範囲において適切な値で設計することが好適である。また、軸流ファンが実際に使用される状況では、吐出口１４ｄ側に近接して機器のケーシング壁や建造物の壁などのような障害壁Ｓが存在するとしても、軸流ファンと障害壁Ｓとの距離Ｌは様々であり、場合によっては全く障害壁Ｓがない状況（Ｌ≒∞）で使用されることもある。したがって、風量の低下と騒音の増加を抑制しつつ汎用性ある軸流ファンを設計するためには、ＸとＹａとの関係をさらに所定の範囲に設定することも好適である。
【００４２】
［性能比較１］
図５に障害壁Ｓを設けた時の軸流ファン性能の一例として、吐出側に障害壁Ｓを設置しない場合及び設置した場合の風量−静圧の性能比較を示している。使用した軸流ファンは、８０角３８厚軸流ファン（９ＨＶ０８４８Ｐ１Ｇ００１（山洋電気（株）製））である。フレームの形状は、ステイ２０を除いて、他は同じである。また、ステイ２０は前記した最初の形態の形状を採用している。なお、設置する障害壁Ｓの寸法は縦２００ｍｍ×横２００ｍｍとされている。なお、障害壁Ｓを設置した場合の軸流ファンと障害壁Ｓとの距離Ｌ（ｍｍ）は、Ｌ（ｍｍ）＝０、５、１０、１５を選定した。
【００４３】
図５から明らかなとおり、障害壁Ｓがない場合には、全静圧域において、本発明に係る態様と従来品との風量の差は僅かである。
【００４４】
一方、障害壁Ｓを設けた場合には、本発明に係る態様においては、障害壁Ｓと軸流ファンとの距離Ｌ（ｍｍ）が、狭くなるにつれて風量が多少低下してくるが、従来品においてはかかる距離に応じて大きく風量が低下し、本発明に係る態様と比べてほぼ半減した。なお、従来品において障害壁Ｓと軸流ファンとの距離Ｌ（ｍｍ）を０ｍｍとした場合は、吐出側が全閉塞となって使用不可能となるために計測していないが、本発明に係る態様においては、かかる距離においても、障害壁Ｓ無しの場合よりも風量が多少低下する程度で、実用上差支えない程度の風量が得られることがわかる。
【００４５】
［性能比較２］
図６（ａ）、（ｂ）に、Ｘ／Ｙａの変化に伴う軸流ファンの静圧−風量の性能の変化を示している。なお、Ｘ／Ｙａの値は、有効数字として解することが前提である（以下同じ。）
【００４６】
使用した軸流ファンは、［性能比較１］で用いた８０角３８厚軸流ファン（９ＨＶ０８４８Ｐ１Ｇ００１（山洋電気（株）製））に加え、８０角２５厚ファン（９ＧＡ０８１２Ｐ４Ｇ００１（山洋電気（株）製））でも測定した。実験は、Ｘ／Ｙａの値が、０．７〜０．９を包含する範囲で行った。その時の障害壁Ｓと軸流ファンの距離Ｌは５ｍｍにおいて行った。ここで、翼弦長は、８０角３８厚軸流ファンがＹａ＝２２．６ｍｍであり、８０角２５厚ファンが１７．３ｍｍである。
【００４７】
図６（ａ）、（ｂ）から明らかなとおり、８０角３８厚ファンと８０角２５厚ファンのいずれも、Ｘ／Ｙａの値が０．７〜０．９の範囲にある時に最も風量の低下を抑えることができた（なお、図６においては、便宜上、ＸのＹａに対する比率を百分率で表記している。）これは、そのような配置関係に保つことにより、羽根１２からの空気の漏れや、羽根１２本来の性能を発揮することができていると考えられる。また、Ｘが大き過ぎる場合は、障害壁Ｓとの隙間が少なくなり、風量が低下すると考えられる。なお、図示していないが、障害壁Ｓが無い場合でも風量が多く得られるのは同様にＸ／Ｙａの値が０．７〜０．９の範囲であった。特にＸ／Ｙａの値を０．８程度とした場合には、静圧−風量のバランスが良いものであった。
【００４８】
［性能比較３］
次に、図７に障害壁Ｓを設けた時の軸流ファン性能の一例として、吐出側に障害壁Ｓを設置した場合の負荷騒音特性の性能比較を示している。
【００４９】
比較に用いた軸流ファンは前記［性能比較１］と同様である。なお、障害壁Ｓと軸流ファンの距離Ｌ（ｍｍ）＝５、１０を選定したが、比較のために従来品の障害壁Ｓなしの例を示している。
【００５０】
図７によれば、軸流ファンの吐出側に障害壁Ｓがあると、風量が低下するだけでなく、騒音も悪化するのが一般的であるが、本発明の態様により、騒音の悪化も抑えることができ、障害壁Ｓのない状態の音圧レベルに近い性能が得られる。すなわち、ファンの吐出側近傍に障害壁Ｓ等があっても、軸流ファン本来の風量−静圧特性や音圧レベルの悪化を抑えることができる。
【００５１】
これらの特性は一例ではあるが、前記のいくつかの実験例からみると、概ね、Ｘ／Ｙａの値を０．７〜０．９の範囲で設計した時には、汎用性を持った静圧−風量特性及び騒音特性が概ね支障のない範囲となる優れた特性の軸流ファンが得られる。なお、Ｘ／Ｙａの値が前記範囲外であっても、軸流ファンの設置状態や使用条件によっては、最適な状態となる条件となる場合があることはいうまでもない。
【符号の説明】
【００５２】
１  固定子組立体
２  固定子鉄心
２ａ  突極部
２ｂ  磁極面
３  固定子巻線
４  回路基板
４ａ  スルーホール
５  端子ピン
６  ファンロータ
７、７ａ、７ｂ、７ｃ  カップ部材
８  回転子
９  羽根取付用ハブ９、９ａ、９ｂ
１０ａ  ファンフレーム１４の吸込側側壁
１０ｂ  ファンフレーム１４の吐出側側壁
１１  内周壁部材
１２  羽根
１３  回転軸
１４  ファンフレーム
１４ａ  固定子支持フレーム
１４ｂ  固定子支持フレーム側壁
１４ｃ  吸込口
１４ｄ  吐出口
１５、１６  軸受
１７  軸受支持用筒部
１８  取付タブ
１９  基板収納部
２０  ステイ
２１  リード線
２２  絶縁材料からなるモールド部
２３  インシュレータ
２４  ボルト貫通穴
２５  スペーサ
【図１】
2020172913.tif 000003
【図２】
2020172913.tif 000004
【図３】
2020172913.tif 000005
【図４】
2020172913.tif 000006
【図５】
2020172913.tif 000007
【図６】
2020172913.tif 000008
【図７】
2020172913.tif 000009
【図８】
2020172913.tif 000010